(57)【要約】      （修正有）【課題】折り返された状態のウイングの外面に剥離紙が配されて覆われているとしても、製品の前後が判断し易く、製品の前後を誤って装着し難い吸収性物品を提供する。【解決手段】吸収性物品は、吸収体２３を備えた吸収性本体２を有し、吸収性本体２の排泄部領域Ａにウイング４を有している。ウイング４は、使用前においては、表面シート２１側に折り返されている。折り返された状態のウイング４の外面には、下着に固定するための粘着部４１が配され、粘着部４１を覆い粘着部４１に剥離自在に止着される剥離紙７が配されている。剥離紙７には、吸収性物品１Ａの前後の違いを示す識別情報７１が印刷されている。【選択図】図１
0003194465.tif 000002
【実用新案登録請求の範囲】
【請求項１】
肌対向面側に表面シート、非肌対向面側に裏面シート及びそれら両シート間に液保持性の吸収体を備えた縦長の吸収性本体を有し、該吸収性本体における装着者の体液排泄部に当接する排泄部領域の両側部それぞれから幅方向外方に延出する一対のウイングを有する吸収性物品であって、
一対の前記ウイングは、使用前においては、前記表面シート側に折り返されて、前記表面シートと面する内面と、該内面の裏面側である外面を有し、
折り返された状態の前記ウイングの外面には、下着に固定するための粘着部が配され、該粘着部を覆い該粘着部に剥離自在に止着される剥離紙が配されており、
前記剥離紙には、前記吸収性物品の前後の違いを示す識別情報が印刷されている吸収性物品。
【請求項２】
前記吸収性本体における排泄部領域より後方の後方領域の両側部それぞれから幅方向外方に延出する一対の後方フラップを有し、一対の該後方フラップは、使用前においては、前記表面シート側に折り返されて、前記表面シートと面する内面と、該内面の裏面側である外面を有し、折り返された状態の前記後方フラップの外面には、下着に固定するための粘着部が配されており、一対の前記ウイングの前記粘着部及び一対の該後方フラップの該粘着部を覆い該各粘着部に剥離自在に止着される前記剥離紙が配されている請求項１の吸収性物品。
【請求項３】
前記吸収性本体は、前記排泄部領域に中高領域を備えており、
前記識別情報は、前記中高領域に対応する該中高領域の平面視形状の図である請求項１又は２に記載の吸収性物品。
【請求項４】
前記識別情報は、文字、折り返された状態の前記ウイングに対応する該ウイングの平面視形状の図、折り返された状態の前記後方フラップに対応する該後方フラップの平面視形状の図、前記表面シートから前記吸収体まで一体的に圧密化されて該表面シート上に形成された圧搾溝に対応する該圧搾溝の平面視形状の図、又はこれらを組み合わせた形状である請求項１〜３に記載の吸収性物品。
【請求項５】
前記識別情報の印刷には、蛍光顔料又は蓄光塗料を含有する印刷塗料が用いられている請求項１〜４の何れか１項に記載の吸収性物品。
【請求項６】
前記剥離紙には、透明度が５０〜９５％である紙が用いられている請求項１〜５の何れか１項に記載の吸収性物品。
【請求項７】
前記吸収性物品は生理用ナプキン又は女性用失禁パッドである請求項１〜６の何れか１項に記載の吸収性物品。
【請求項８】
前記剥離紙が配された請求項１〜７の何れか１項に記載の吸収性物品と該吸収性物品を個装する包装材とを少なくとも前部と後部にて長手方向に折り曲げ畳んでなる折部を有する個装体であって、前記個装体の最も前方寄りの折部を開封すると、前記識別情報が視認可能なように、該識別情報が印刷されている個装体。
【考案の詳細な説明】
【技術分野】
【０００１】
本考案は、生理用ナプキン、女性用失禁パッド等の女性用吸収性物品（以下吸収性物品）に関する。
【背景技術】
【０００２】
一般的に、吸収体を備えた縦長の吸収性本体の両側部から幅方向外方に延出する一対のウイングを有する生理用ナプキンが知られている。このような生理用ナプキンは、使用前においては、例えば、一対のウイングが内側に折り返されており、折り返された状態ではウイングの内面が表面材の肌当接面側に当接し、ウイングの外面側に粘着部が形成される。該ウイングの外面には、下着に固定するための粘着部を覆うように剥離紙が配されている。このような、折り返された状態のウイングの外面に剥離紙が配された生理用ナプキンにおいては、剥離紙で覆われているため製品の前後が分かり難く、製品の前後を逆にして装着してしまうという問題があった。
【０００３】
ところで、特許文献１には、トップシートの一部分に、２色調の着色部分を設け、深みのある知覚が創り出される生理用ナプキンが記載されている。
また、引用文献２には、バックシートに設けられたズレ止め部に止着される剥離紙に、文字、記号、模様又は図形等の識別情報が設けられており、光透過性を有するトップシート及びバックシートを用いることにより、バックシートの裏面側に配された剥離紙の識別情報がトップシート側から視認可能に構成されている吸収性物品が記載されている。
しかし、特許文献１にも特許文献２にも、折り返された状態のウイングの外面に剥離紙が配された生理用ナプキンに関して何ら記載されていない。
【先行技術文献】
【特許文献】
【０００４】
【特許文献１】特表２００５−５１２６８２号公報
【特許文献２】特開２００５−１０３０６５号公報
【考案の概要】
【考案が解決しようとする課題】
【０００５】
従って、本考案の課題は、前述した折り返された状態のウイングの外面に剥離紙が配された吸収性物品の有する欠点を解消し得る吸収性物品を提供することにある。
【課題を解決するための手段】
【０００６】
本考案は、肌対向面側に表面シート、非肌対向面側に裏面シート及びそれら両シート間に液保持性の吸収体を備えた縦長の吸収性本体を有し、該吸収性本体における装着者の体液排泄部に当接する排泄部領域の両側部それぞれから幅方向外方に延出する一対のウイングを有する吸収性物品であって、一対の前記ウイングは、使用前においては、前記表面シート側に折り返されて、前記表面シートと面する内面と、該内面の裏面側である外面を有し、折り返された状態の前記ウイングの外面には、下着に固定するための粘着部が配され、該粘着部を覆い該粘着部に剥離自在に止着される剥離紙が配されており、前記剥離紙には、前記吸収性物品の前後の違いを示す識別情報が印刷されている吸収性物品を提供するものである。
【考案の効果】
【０００７】
本考案の吸収性物品によれば、折り返された状態のウイングの外面に剥離紙が配されて覆われているとしても、製品の前後が判断し易く、製品の前後を誤って装着し難い。
【図面の簡単な説明】
【０００８】
【図１】図１は、本考案の第１実施形態である生理用ナプキンの斜視図である。
【図２】図２は、図１のＹ１−Ｙ１線断面図である。
【図３】図３（ａ）〜（ｂ）は、それぞれ、図１の生理用ナプキンの有する剥離紙に施される識別情報の他の例である。
【図４】図４（ａ）は、図１の生理用ナプキンを包装材に収容した個別包装状態を示す図であり、図４（ｂ）〜（ｃ）は、それぞれ、前方よりの折れ線から開封した際の状態を示す図である。
【図５】図５は、本考案の第２実施形態である生理用ナプキンの斜視図である。
【図６】図６は、図５のＹ２−Ｙ２線断面図である。
【図７】図７（ａ）〜（ｆ）は、それぞれ、図５の生理用ナプキンの有する剥離紙に施される識別情報の他の例である。
【考案を実施するための形態】
【０００９】
以下本考案をその好ましい第１実施形態に基づき図面を参照しながら説明する。
本考案の吸収性物品の第１実施形態である生理用ナプキン１Ａ（以下、ナプキン１Ａともいう）は、図１に示すように、肌対向面側に表面シート２１、非肌対向面側に裏面シート２２及びそれら両シート２１，２２間に液保持性の吸収体２３を備えた縦長の吸収性本体２を有している。また、図１に示すように、ナプキン１Ａは、吸収性本体２における装着者の体液排泄部（膣口等）に当接する排泄部領域Ａの両側部２Ｓ，２Ｓそれぞれから幅方向Ｙ外方に延出する一対のウイング４，４を有している。ナプキン１Ａにおいては、図１に示すように、吸収性本体２の長手方向Ｘに沿う両側部２Ｓ，２Ｓに一対の立体ギャザー３，３が形成されている。
ナプキン１Ａは、図１に示すように、ナプキン１Ａの長手方向に延びる中心線ＣＬに対して左右対称に形成されている。
【００１０】
本明細書において、「肌対向面」とは、吸収性本体２などを構成する各部材の表裏両面のうち、装着時に装着者の肌側に配される面であり、「非肌対向面」とは、吸収性本体２などを構成する各部材の表裏両面のうち、装着時に装着者の肌側とは反対側に向けられる面である。
また図中に示すＸ方向とは、ナプキン１Ａ又は吸収性本体２の長手方向と同方向であり、中心線ＣＬに平行な方向である。また、図中に示すＹ方向とは、ナプキン１Ａ又は吸収性本体２の幅方向と同方向であり、中心線ＣＬに垂直な方向である。
また、吸収性本体２の排泄部領域Ａとは、装着者の体液排泄部（膣口等）に当接する領域であり、両側部２Ｓ，２Ｓにウイング４を有する領域でもある。吸収性本体２における、排泄部領域Ａよりも前方に位置する領域（生理用ナプキン装着時に排泄部領域Ａよりも装着者の前方に配される領域）を前方領域Ｂといい、排泄部領域Ａよりも後方に位置する領域（生理用ナプキン装着時に排泄部領域Ａよりも装着者の後方に配される領域）を後方領域Ｃという。
【００１１】
第１実施形態のナプキン１Ａについて更に詳述する。
吸収性本体２は、図１，図２に示すように、液透過性の表面シート２１、液不透過性又は撥水性の裏面シート２２及び両シート２１，２２間に介在配置された液保持性の吸収体２３を備えている。
吸収体２３は、前方領域Ｂから後方領域Ｃに亘って延在しており、平面視で、前後縁部が丸みを帯びた略長方形状を有している。
表面シート２１は、図２に示すように、吸収体２３の上面の全域を被覆している。表面シート２１の前後端部は、丸みを帯びており、吸収体２３の前後端部それぞれから長手方向Ｘに延出している。表面シート２１の両側縁部は、長手方向Ｘに沿う直線状であり、吸収体２３の両側縁部それぞれから幅方向Ｙに若干延出しているが、裏面シート２２の側縁部よりは中心線ＣＬ寄りに離間している。
裏面シート２２は、図２に示すように、吸収体２３の下面の全域を被覆している。裏面シート２２の前後端部は、丸みを帯びており、吸収体２３の前後端部それぞれから長手方向Ｘに延出している。裏面シート２２の両側縁部は、吸収体２３の両側縁部それぞれから幅方向Ｙに延出している。
【００１２】
表面シート２１には、図１に示すように、表面シート２１及び吸収体２３が一体的に圧密化されて形成された圧搾溝２４が設けられている。圧搾溝２４は、高い圧搾により深く凹んだ部分と低い圧搾により浅く凹んだ部分とからなる段構造を有している。ナプキン１Ａの圧搾溝２４は、図１に示すように、表面シート２１の上面における、後述するサイドシート３１によって被覆されていない領域に、前方領域Ｂから後方領域Ｃに亘って略楕円状に形成されている。
【００１３】
ウイング４は、図１に示すように、排泄部領域Ａにおいて吸収性本体２の側部２Ｓから延出している。ウイング４は、使用前においては、表面シート２１側に折り返されているが、使用時においては、ショーツ等の下着のクロッチ部の下面（外面）側に折り返されて用いられるものである。ウイング４は、図１に示すように、平面視で、下底（上底よりも長い辺）が中心線ＣＬ側に位置する略台形形状を有している。
【００１４】
一対の立体ギャザー３，３それぞれは、吸収性本体２の側部２Ｓの肌対向面側に吸収性本体２の全長に亘って設けられたサイドシート３１と、サイドシート３１の自由端部３１ｆに伸長状態で固定された弾性部材３２とを備えている（図２参照）。詳述すると、サイドシート３１は、図１に示すように、吸収性本体２の肌対向面側の側部２Ｓを被覆しており、吸収性本体２の肌対向面側における側部２Ｓに、吸収性本体２の長手方向Ｘに沿って前方領域Ｂから後方領域Ｃの全長に亘って設けられている。
【００１５】
サイドシート３１は、図２に示すように、幅方向Ｙの内方側において表面シート２１側に２つ折りされて、自由端部３１ｆを形成している。このように形成された自由端部３１ｆは、図２に示すように、２層領域となっており、その折返し部付近に伸長状態の弾性部材３２を長手方向Ｘに沿って固定している。ナプキン１Ａにおいて、サイドシート３１の２層領域は、表面シート２１の幅方向Ｙの外方端と略同じ位置まで、言い換えれば、ウイング４に至らない範囲で形成されている。従って、ウイング４は、１層のサイドシート３１及び裏面シート２２により形成されている（図２参照）。図２に示すように、サイドシート３１に配された伸長状態の弾性部材３２から幅方向Ｙ外方に離間した位置（サイドシート３１が２層領域となっている領域の幅方向Ｙ外方端部）においては、２層領域のサイドシート３１、表面シート２１及び裏面シート２２を熱融着して形成された接合部３３が配されている。接合部３３は、前方領域Ｂから後方領域Ｃに亘って吸収性本体２の長手方向Ｘに直線状に延びて形成されており、その幅方向Ｙの内方端（中心線ＣＬ側の端）が、サイドシート３１が起立する際の起立基端となる。また、接合部３３は、吸収性本体２と、ウイング４との境界線となる。接合部３３は、ナプキン１Ａにおいては、熱融着により形成されているが、ホットメルト等の接着剤等により形成されていてもよく、それらの併用であってもよい。
【００１６】
ナプキン１Ａにおいては、図２に示すように、表面シート２１、裏面シート２２及びサイドシート３１が、それぞれの周縁部に沿って、熱融着によって接合されており、ナプキン１Ａの周縁部に周縁シール部６を形成している。周縁シール部６を形成する熱融着法としては、熱エンボス加工、超音波エンボス加工であってもよく、ホットメルト等の接着剤等により形成されていてもよく、それらの併用であってもよい。
【００１７】
一対のウイング４，４は、使用前においては、図１に示すように、表面シート２１側に折り返されて、表面シート２１と面する内面と該内面の裏面側である外面を有し、折り返された状態のウイング４の外面には、ショーツ等の下着に固定するための粘着部４１が配され、粘着部４１を覆い粘着部４１に剥離自在に止着される剥離紙７が配されている。表面シート２１側に折り返された状態のウイング４の外面とは、折り返さない状態のウイング４（幅方向Ｙ外方に向いた状態のウイング４）の非肌対向面となる面である。このように配された粘着部４１によって、使用時に、ショーツ等の下着のクロッチ部の下面（外面）側に折り返されたウイング４を、クロッチ部に止着できるようになっている。粘着部４１は、図１に示すように、ナプキン１Ａにおいては、平面視して長手方向Ｘに長い矩形状に形成されている。尚、ナプキン１Ａの粘着部４１は、矩形状に形成されているが、この形状に限られるものではない。
【００１８】
剥離紙７は、図１に示すように、ナプキン１Ａにおいては、排泄部領域Ａを覆う矩形状のものであり、具体的には、長手方向Ｘにおいては、折り返された状態のウイング４を覆う長さであり、幅方向Ｙにおいては、吸収性本体２の幅と略同じ長さに形成されている。尚、剥離紙７の形状は、ナプキン１Ａにおいては、上述したように矩形状のものであるが、矩形状のものに限らず、例えば、後述する図３（ａ）に示すように、一部（文字を印刷する部分）が前方に延出した形状であってもよい。
【００１９】
剥離紙７としては、生理用ナプキン等の吸収性物品において従来用いられている剥離紙を特に制限なく用いることができるが、前後の識別を高める為に好ましくは、次のような剥離紙が好ましい。折り返された状態のウイング４の形状を認識できるように、透明性がある紙を用いることが好ましい。透明性の指標として、透明度で示すことが出来る。透明度（％）は１００％に近いほど透明性が高く、０％に近いほど透明性が低いことを示す。具体的には、透明度が５０〜９５％である剥離紙を用いることが好ましく、透明度が６５〜９０％である剥離紙を用いることが更に好ましい。上記範囲の透明性のある剥離紙を得るには、剥離紙の繊維の配向を一方向に揃えたり、使用する繊維は白色度が高いものを用いたりすることで達成出来る。
透明度は、ハンター白色度を以下のように測定して求めることが出来る。JIS−P8123（紙・パルプ）に準じてハンター式測色色差計で青色フィルタを用い，完全な白色を100％とし，透過中心波長457mμにおける反射率からハンター白色度を求める。ハンター式測色色差計で得られた，L（明度），a・b（色相・彩度）をもとに次式により求める。
W（白色度）＝100−√（100-L）2  +  a2  +  b2で求められる。
このような透明度を有する剥離紙としては、セルロース繊維５０〜１００重量％からなる基材シートに剥離剤を塗布したもの等が挙げられる。      
【００２０】
剥離紙７には、図１に示すように、生理用ナプキン１Ａの前後の違いを示す識別情報７１が印刷されている。剥離紙７に印刷された識別情報７１は、生理用ナプキン１Ａにおいては、生理用ナプキン１Ａの前後の違いを示し、且つ生理用ナプキン１Ａの前後を識別可能な「ＦＲＯＮＴ」なる文字である。このような「ＦＲＯＮＴ」なる文字からなる識別情報が、剥離紙７の前方部分に印刷されている。
【００２１】
また、ナプキン１Ａは、包装材８に収納され、個別包装状態となっていてもよい。図４（ａ）は、剥離紙７が配された生理用ナプキン１Ａと生理用ナプキン１Ａを個装する包装材８とを少なくとも前部と後部にて長手方向（Ｙ方向）に折り曲げ畳んでなる折部を有する個装体を示しており、図４（ｂ）に示すように、該個装体の最も前方寄りの折部を開封すると、識別情報７１が視認可能なように、識別情報７１が印刷されている。具体的には、ナプキン１Ａを個装する包装材８は、ナプキン１Ａの外方全域に亘って延出しており、長手方向Ｘに長い矩形状のシートである。剥離紙７が配されたナプキン１Ａは、包装材８上に配され、ナプキン１Ａの長手方向（Ｙ方向）を略３等分する位置の前方寄りの折部Ｌ１及び後方寄りの折部Ｌ２で、包装材８と共に表面シート２側に折り曲げられて、三つ折りに折り畳まれる。次に、包装材８と共に三つ折りに折り畳まれたナプキン１Ａは、ナプキン１Ａの両側縁から幅方向Ｙ外方に延出する包装材８の両側部それぞれをヒートシール等の公知の固定方法により固定して封止すると共に、包装材８の開封開始端を公知のタブテープ８１で所定箇所に止着することにより、図４（ａ）に示すように、ナプキン１Ａを包装材８に収納した個別包装状態の個装体となる。尚、包装材８上に配されたナプキン１Ａは、ナプキン１Ａにおいては、三つ折りされているが、包装材８に収納されれば、三つ折りでなくてもよく、例えば、四つ折りでもよい。図４（ａ）に示すように、ナプキン１Ａを包装材８に収納した個別包装において、例えば図１に示す「ＦＲＯＮＴ」なる文字を剥離紙７に印刷する位置としては、図４（ｂ）に示すように、最も前方寄りの折部Ｌ１を開封すると、剥離紙７の「ＦＲＯＮＴ」なる文字の識別情報が視認可能なように、「ＦＲＯＮＴ」なる文字の識別情報が剥離紙７の前方部分に印刷されていることが好ましく、剥離紙７の取り出し性の観点からは、図４（ｃ）に示すように、最も前方寄りの折部Ｌ１よりも前方に、「ＦＲＯＮＴ」なる文字の識別情報が印刷されていることが更に好ましい。
【００２２】
包装材８としては、生理用ナプキン等の吸収性物品の個別包装に、従来用いられているものを特に制限なく用いることができる。例えば、包装材８としては、樹脂フィルムや不織布等を用いることができ、滑らかさや、シート強度、耐液性（接着剤の染みだし抵抗性）の点からは、スパンボンド不織布（Ｓ）とメルトブロー不織布（Ｍ）との複合不織布（ＳＭ，ＳＭＳ等）が好ましく、柔軟性の観点からは、バインダー繊維によるエアースルー不織布が好ましい。
【００２３】
識別情報７１の印刷を施す方法としては、フレキソ、グラビア、インクジェット方式等の公知の方法により剥離紙７の外面に印刷することが考えられる。その際、剥離紙７の識別情報７１の印刷には、蛍光顔料又は蓄光塗料を含有する印刷塗料を用いることが、トイレ等の暗い部屋でも生理用ナプキン１Ａの前後の違いを認識できる観点から好ましい。蛍光顔料としては、カルシウム、バリウム、マグネシウム、カドミウム等の酸化物、硫化物、珪酸塩、リン酸塩、タングステン酸塩等を主成分とする顔料が挙げられる。蓄光塗料に含まれる蓄光材とは、俗に夜光とも呼ばれ、太陽光や蛍光灯などの光エネルギー（紫外線）を吸収して発光し、エネルギーの供給が止まった後も暗闇で徐々に光を放出する材料のことであり、耐光性及び耐熱性に対して極めて安定しており、有害物質が含まれず極めて安全性が高い観点から、アルミナ系酸化物を用いることが好ましい。
【００２４】
上述したナプキン１Ａの形成材料について説明する。
表面シート２１、裏面シート２２、吸収体２３としては、生理用ナプキン等の吸収性物品において従来用いられている各種の材料などを特に制限なく用いることができる。
例えば、表面シート２１としては、単層又は多層構造の不織布や、開孔フィルム等を用いることができる。裏面シート２２としては、液不透過性又は撥水性の樹脂フィルムや樹脂フィルムと不織布の積層体等を用いることができる。吸収体２３としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。
【００２５】
サイドシート３１としては、生理用ナプキン等の吸収性物品において従来用いられている各種の材料などを特に制限なく用いることができる。
例えば、サイドシート３１としては、液不透過性又は撥水性の樹脂フィルムや樹脂フィルムと不織布の積層体等を用いることができる。
また、ナプキン１Ａにおいては、吸収性本体２における吸収体２３と裏面シート２２との間も接着剤によって接合することが好ましい。この接着剤は、スパイラルパターン等のパターン塗工によって低坪量に塗工することが好ましい。
【００２６】
上述した本考案の吸収性物品の第１実施形態であるナプキン１Ａを使用した際の作用効果について説明する。
ナプキン１Ａは、図１に示すように、一対のウイング４，４を有しており、使用前においては、一対のウイング４，４が表面シート側に折り返されており、折り返された状態のウイング４の外面には、剥離紙７が配されている。しかし、剥離紙７には、前後の違いを示す「ＦＲＯＮＴ」なる文字の識別情報が剥離紙７の前方部分に印刷されているので、製品の前後が分かり易い。即ち、「ＦＲＯＮＴ」なる文字の識別情報が印刷されている剥離紙７の前方部分が製品の前方であると使用者（装着者）が使用前に判断できるので、製品の前後を逆にして装着してしまうという問題が生じ難い。
また、前後の違いを示す識別情報７１が剥離紙７に印刷されていると、生理用ナプキンを平面視しただけでは、幅方向Ｙに伸びる中心線で折り返しても略対称で且つ中心線ＣＬで折り返しても略対称なナプキンであったとしても、平面視しただけでは認識できない内部の構成の違い、例えば、吸収体２３に含まれる吸水性ポリマーの粒子の分布が異なるナプキンである場合においても、製品の前後を逆にして装着してしまうという問題が生じ難い。
【００２７】
上述の第１実施形態の使い捨てナプキン１Ａの剥離紙７に印刷される識別情報７１は、生理用ナプキン１Ａの前後の違いを示し且つ生理用ナプキン１Ａの前後を識別可能である、図１に示す「ＦＲＯＮＴ」なる文字以外に、例えば、図３（ａ）に示すような「前」なる文字も挙げられる。
図３（ａ）に示すような「前」なる文字を、剥離紙７の前方部に識別情報７１として印刷する際には、剥離紙７として、光透過性（透明性）を有する紙を用いることが好ましい。このような光透過性（透明性）を有する剥離紙７を用いると、前方部の「前」なる識別情報７１以外の部分は透明であるので、表面シート２１側に折り返された状態の一対のウイング４等が確認できるので、製品の前後が更に分かり易い。尚、「前」なる文字を印刷する際には、グラデーションを施してもよい。「前」なる文字は、剥離紙７の前方部に設けられた摘み部に印刷してもよい。
また、生理用ナプキン１Ａの前後を識別可能か否かは定かではないが、少なくとも生理用ナプキン１Ａの前後の違いを示す識別情報７１としては、例えば、図３（ｂ）に示すような矢印の図形も挙げられる。
【００２８】
次に、本考案の第２実施形態の生理用ナプキンについて、図５〜図７に基づいて説明する。
第２実施形態の生理用ナプキン１Ｂについては、第１実施形態の生理用ナプキン１Ａと異なる点について説明する。特に説明しない点は、生理用ナプキン１Ａと同様であり、生理用ナプキン１Ａの説明が適宜適用される。
【００２９】
ナプキン１Ｂは、図５，図６に示すように、表面シート２１、裏面シート２２及びそれら両シート２１，２２間に吸収体２３を備えた吸収性本体２を有している。また、図５，図６に示すように、ナプキン１Ｂは、吸収性本体２における排泄部領域Ａの両側部２Ｓ，２Ｓそれぞれから幅方向Ｙ外方に延出する一対のウイング４，４及び吸収性本体２における排泄部領域Ａより後方の後方領域Ｃの両側部２Ｓ，２Ｓそれぞれから幅方向Ｙ外方に延出する一対の後方フラップ５，５を有している。ナプキン１Ｂにおいては、図５に示すように、吸収性本体２の長手方向Ｘに沿う両側部２Ｓ，２Ｓに一対の立体ギャザー３，３が形成されている。
【００３０】
第２実施形態のナプキン１Ｂについて更に詳述する。
一対の後方フラップ５，５を有するナプキン１Ｂは、主に夜間用の生理用ナプキンとして用いられる。夜間用の生理用ナプキンは、その装着時間が長時間に亘るため装着中に排泄される液の量も多くなり、多量の液を吸収し保持する高い吸収力及び保持力が必要とされる。そのため、後方フラップ５を有するナプキン１Ｂは、ある程度の大きさを有していることが好ましく、その長さは、好ましくは２７ｃｍ以上であり、更に好ましくは３０ｃｍ以上である。
【００３１】
吸収体２３は、ナプキン１Ｂにおいては、図６に示すように、上部吸収体２３１と、上部吸収体２３１の非肌対向面側に配される下部吸収体２３２とからなる２層構造を有している。上部吸収体２３１は、平面視で、図５に示すように、下部吸収体２３２よりも長さ及び幅が短くなっており、下部吸収体２３２には接合されていない。下部吸収体２３２は、図５に示すように、前方領域Ｂから後方領域Ｃに亘って延在しており、平面視で、前後縁部が丸みを帯びた略長方形状に形成されている。また、上部吸収体２３１は、図５に示すように、排泄部領域Ａから後方領域Ｃに亘って配されており、後方領域Ｃに向かって先細り形状に形成されている。このような上部吸収体２３１は、吸収性本体２の排泄部領域Ａから後方領域Ｃに亘って、いわゆる中高領域を形成する。従って、吸収体２３を含む吸収性本体５２は、排泄部領域Ａに中高領域を備えるようになる。
【００３２】
表面シート２１には、図５に示すように、表面シート２１から下部吸収体２３２までが一体的に圧密化されて形成された圧搾溝２４が設けられている。ナプキン１Ｂの圧搾溝２４は、図５に示すように、表面シート２１の上面における、サイドシート３１によって被覆されていない領域に形成されており、上部吸収体２３１の外周縁よりも外方において上部吸収体２３１を包囲するように形成されている中央圧搾溝２４１と、中央圧搾溝２４１よりも前方側に形成されている前方圧搾溝２４２と、中央圧搾溝２４１よりも後方側に形成されている後方圧搾溝２４３とを有している。中央圧搾溝２４１は、上部吸収体２３１の形状に対応して、長手方向Ｘの後端に向かって先細り形状に形成されている。前方圧搾溝２４２は、吸収性本体２の長手方向Ｘの前端に向かって凸に湾曲した略半円弧状であり、後方圧搾溝２４３は、吸収性本体２の長手方向Ｘの後端に向かって凸に湾曲した略半円弧状である。前方圧搾溝２４２及び後方圧搾溝２４３は、中央圧搾溝２４１の外方に設けられており、前方圧搾溝２４２の長手方向Ｘの後端及び後方圧搾溝２４３の長手方向Ｘの前端が中央圧搾溝２４１と連結されて閉じた環を形成している。
【００３３】
ウイング４は、図５に示すように、排泄部領域Ａにおいて吸収性本体２の側部２Ｓから延出している。ウイング４は、使用前においては、表面シート２１側に折り返されているが、使用時においては、ショーツ等の下着のクロッチ部の下面（外面）側に折り返されて用いられるものである。ウイング４は、図５に示すように、平面視で、下底（上底よりも長い辺）が中心線ＣＬ側に位置する略台形形状を有している。
【００３４】
後方フラップ５は、図５に示すように、後方領域Ｃにおいて吸収性本体２の側部２Ｓから延出している。後方フラップ５は、使用前においては、表面シート２１側に折り返されているが、使用時においては、吸収性本体２から延出した状態で折り返されることなくショーツ等の下着の内面に後述する粘着部５１を介して固定されて用いられるものである。ナプキン１Ｂの後方フラップ３は、後方領域Ｃに配されており、排泄部領域Ａから後方領域Ｃに向かって幅方向Ｙの幅が漸次拡がる形状を有している。また、夜用のナプキンなどに形成されている後方フラップ５は、使用時にショーツの内面に臀部を覆うように広げて使用され、使用前は、吸収性本体２の長手方向に沿う両側部に沿ったラインに沿って幅方向内方に折り畳まれている。折り返した状態での後方フラップ５の内面は表面シート２１の肌当接面側と当接し、後方フラップ５の外面は表面シート２１と当接せず、外面側にショーツの後側に固定するための粘着部５１が形成され、該粘着部５１を覆うように剥離紙７が配されている。
【００３５】
一対の立体ギャザー３，３それぞれは、吸収性本体２の側部２Ｓの肌対向面側に吸収性本体２の全長に亘って設けられたサイドシート３１と、サイドシート３１の自由端部３１ｆに伸長状態で固定された弾性部材３２とを備えている（図６参照）。詳述すると、サイドシート３１は、図５に示すように、吸収性本体２の肌対向面側の側部２Ｓを被覆しており、吸収性本体２の肌対向面側における側部２Ｓに、吸収性本体２の長手方向Ｘに沿って前方領域Ｂから後方領域Ｃの全長に亘って設けられている。
【００３６】
サイドシート３１は、図６に示すように、幅方向Ｙの内方側において表面シート２１側に２つ折りされて、自由端部３１ｆを形成している。このように形成された自由端部３１ｆは、図６に示すように、２層領域となっており、その折返し部付近に伸長状態の弾性部材３２を長手方向Ｘに沿って固定している。ナプキン１Ｂにおいて、サイドシート３１の２層領域は、表面シート２１の幅方向Ｙの外方端と略同じ位置まで、言い換えれば、ウイング４及び後方フラップ５に至らない範囲で形成されている。従って、ウイング４は、１層のサイドシート３１及び裏面シート２２により形成されており（図６参照）、後方フラップ５も同様に、１層のサイドシート３１及び裏面シート２２により形成されている。図６に示すように、サイドシート３１に配された伸長状態の弾性部材３２から幅方向Ｙ外方に離間した位置（サイドシート３１が２層領域となっている領域の幅方向Ｙ外方端部）においては、２層領域のサイドシート３１、表面シート２１及び裏面シート２２を熱融着して形成された接合部３３が配されている。接合部３３は、前方領域Ｂから後方領域Ｃに亘って吸収性本体２の長手方向Ｘに直線状に延びて形成されており、その幅方向Ｙの内方端（中心線ＣＬ側の端）が、サイドシート３１が起立する際の起立基端となる。また、接合部３３は、吸収性本体２とウイング４との境界線となり、更に、吸収性本体２と後方フラップ５との境界線となる。
【００３７】
一対のウイング４，４及び一対の後方フラップ５，５は、それぞれ、使用前においては、図５に示すように、表面シート２１側に折り返されており、折り返された状態のウイング４の外面にはショーツ等の下着に固定するための粘着部４１が配され、更に折り返された状態の後方フラップ５の外面にはショーツ等の下着に固定するための粘着部５１が配されている。ナプキン１Ｂにおいては、一対のウイング４，４の粘着部４１，４１及び一対の後方フラップ５，５の粘着部５１，５１を覆い各粘着部４１，５１に剥離自在に止着される剥離紙７が配されている。表面シート２１側に折り返された状態のウイング４の外面とは、折り返さない状態のウイング４（幅方向Ｙ外方に向いた状態のウイング４）の非肌対向面となる面である。表面シート２１側に折り返された状態の後方フラップ５の外面も同様である。各粘着部４１，５１は、図５に示すように、ナプキン１Ｂにおいては、平面視して長手方向Ｘに長い矩形状に形成されている。尚、ナプキン１Ｂの各粘着部４１，５１は、矩形状に形成されているが、この形状に限られるものではない。
【００３８】
剥離紙７は、図５に示すように、ナプキン１Ｂにおいては、排泄部領域Ａから後方領域Ｃに亘る領域を覆う矩形状のものであり、具体的には、長手方向Ｘにおいては、折り返された状態のウイング４及び後方フラップ５を覆う長さであり、幅方向Ｙにおいては、吸収性本体２の幅と略同じ長さに形成されている。尚、剥離紙７の形状は、ナプキン１Ｂにおいては、上述したように矩形状のものであるが、矩形状のものに限らず、例えば、後述する図７（ａ）に示すように、前方側の一部が折り返された状態のウイング４の側辺に対応する形状であってもよい。
【００３９】
剥離紙７には、図５に示すように、生理用ナプキン１Ｂの前後の違いを示す識別情報７１が印刷されている。剥離紙７に印刷された識別情報７１は、生理用ナプキン１Ｂにおいては、生理用ナプキン１Ｂの前後の違いを示し、且つ生理用ナプキン１Ｂの前後を識別可能な、表面シート２１上に形成された圧搾溝２４の形状及び中高領域を形成する上部吸収体２３１の形状である。具体的には、生理用ナプキン１Ｂの剥離紙７の識別情報７１は、圧搾溝２４に対応する圧搾溝２４の平面視形状２４’であり、該平面視形状２４’が、圧搾溝２４に対応する位置に、圧搾溝２４を平面視した形状と同形同大に形成されている。更に詳述すると、圧搾溝２４を構成する前方圧搾溝２４２、中央圧搾溝２４１及び後方圧搾溝２４３それぞれの平面視形状２４１’，２４２’，２４３’であり、該平面視形状２４１’，２４２’，２４３’が、それぞれの圧搾溝２４１，２４２，２４３に対応する位置に、それぞれの圧搾溝２４１，２４２，２４３を平面視した形状と同形同大に形成されている。
【００４０】
加えて、生理用ナプキン１Ｂの剥離紙７の識別情報７１は、上部吸収体２３１（中高領域）に対応する上部吸収体２３１（中高領域）の平面視形状２３１’であり、該平面視形状２３１’が、上部吸収体２３１（中高領域）に対応する位置に、上部吸収体２３１（中高領域）を平面視した形状と同形同大に形成されている。このように、生理用ナプキン１Ｂの剥離紙７の識別情報７１は、圧搾溝２４（２４１，２４２，２４３）に対応する圧搾溝２４（２４１，２４２，２４３）の平面視形状２４’（２４１’，２４２’，２４３’）と上部吸収体２３１（中高領域）に対応する上部吸収体２３１（中高領域）の平面視形状２３１’とを組み合わせた形状である。
【００４１】
第２実施形態のナプキン１Ｂの形成材料について説明する。第２実施形態のナプキン１Ｂについては、第１実施形態の使い捨てナプキン１Ａの形成材料と同様である。
【００４２】
上述した本考案の第２実施形態のナプキン１Ｂを使用した際の作用効果について説明する。
第２実施形態のナプキン１Ｂの効果については、第１実施形態の使い捨てナプキン１Ａの効果と同様であり、ナプキン１Ａの効果の説明が適宜適用される。
【００４３】
上述の第２実施形態の使い捨てナプキン１Ｂの剥離紙７に印刷される識別情報７１は、生理用ナプキン１Ｂの前後の違いを示し且つ生理用ナプキン１Ｂの前後を識別可能なように、図５に示すような、圧搾溝２４（２４１，２４２，２４３）に対応する圧搾溝２４（２４１，２４２，２４３）の平面視形状２４’（２４１’，２４２’，２４３’）と上部吸収体２３１（中高領域）に対応する上部吸収体２３１（中高領域）の平面視形状２３１’とを組み合わせた形状である以外に、例えば、図７（ａ）に示すように、折り返された状態のウイング４に対応するウイングの平面視形状４’であり、該平面視形状４’が、折り返された状態のウイング４に対応する位置に、折り返された状態のウイング４を平面視した形状と同形同大に形成されている図形が挙げられる。それに加えて、図７（ａ）に示すように、折り返された状態の後方フラップ５に対応する後方フラップの平面視形状５’であり、該平面視形状５’が、折り返された状態の後方フラップ５に対応する位置に、折り返された状態の後方フラップ５を平面視した形状と同形同大に形成されている図形が挙げられる。
【００４４】
また、生理用ナプキン１Ｂの前後を識別可能とし、前後の違いを示す識別情報７１としては、例えば、図７（ｂ）に示すように、圧搾溝２４に対応する圧搾溝２４の平面視形状２４’のみの図形が挙げられる。詳述すると、識別情報７１は、図７（ｂ）に示すように、圧搾溝２４を構成する前方圧搾溝２４２、中央圧搾溝２４１及び後方圧搾溝２４３それぞれの平面視形状２４１’，２４２’，２４３’であり、該平面視形状２４１’，２４２’，２４３’が、それぞれの圧搾溝２４１，２４２，２４３に対応する位置に、それぞれの圧搾溝２４１，２４２，２４３を平面視した形状と同形同大に形成されている。
【００４５】
また、生理用ナプキン１Ｂの前後を識別可能とし、前後の違いを示す識別情報７１としては、例えば、図７（ｃ）に示すように、上部吸収体２３１（中高領域）に対応する上部吸収体２３１（中高領域）の平面視形状２３１’のみの図形が挙げられる。詳述すると、識別情報７１は、図７（ｃ）に示すように、上部吸収体２３１（中高領域）に対応する上部吸収体２３１（中高領域）の平面視形状２３１’であり、該平面視形状２３１’が、上部吸収体２３１（中高領域）に対応する位置に、上部吸収体２３１（中高領域）を平面視した形状と同形同大に形成されている。
【００４６】
また、生理用ナプキン１Ｂの前後を識別可能とし、前後の違いを示す識別情報７１としては、例えば、図７（ｄ）に示すように、圧搾溝２４に対応する圧搾溝２４の平面視形状２４’に、グラデーションを施した図形が挙げられる。詳述すると、識別情報７１は、図７（ｄ）に示すように、圧搾溝２４を構成する前方圧搾溝２４２、中央圧搾溝２４１及び後方圧搾溝２４３それぞれの平面視形状２４１’，２４２’，２４３’であり、該平面視形状２４１’，２４２’，２４３’が、それぞれの圧搾溝２４１，２４２，２４３に対応する位置に、それぞれの圧搾溝２４１，２４２，２４３を平面視した形状と同形同大に形成されている。さらに、圧搾溝２４の平面視形状２４’の内部において、前方から後方に向かって印刷の濃度を徐々に薄くなるようにグラデーションを施している。
【００４７】
また、生理用ナプキン１Ｂの前後を識別可能とし、前後の違いを示す識別情報７１としては、例えば、図７（ｅ）に示すように、圧搾溝２４に対応する圧搾溝２４の平面視形状２４’、折り返された状態のウイング４に対応するウイングの平面視形状４’及び折り返された状態の後方フラップ５に対応する後方フラップの平面視形状５’を組み合わせた図形が挙げられる。詳述すると、識別情報７１は、図７（ｅ）に示すように、圧搾溝２４を構成する前方圧搾溝２４２、中央圧搾溝２４１及び後方圧搾溝２４３それぞれの平面視形状２４１’，２４２’，２４３’であり、該平面視形状２４１’，２４２’，２４３’が、それぞれの圧搾溝２４１，２４２，２４３に対応する位置に、それぞれの圧搾溝２４１，２４２，２４３を平面視した形状と同形同大に形成されている。また、折り返された状態のウイング４に対応するウイングの平面視形状４’が、折り返された状態のウイング４に対応する位置に、折り返された状態のウイング４を平面視した形状と同形同大に形成されている。それに加えて、折り返された状態の後方フラップ５に対応する後方フラップの平面視形状５’が、折り返された状態の後方フラップ５に対応する位置に、折り返された状態の後方フラップ５を平面視した形状と同形同大に形成されている。
【００４８】
また、生理用ナプキン１Ｂの前後を識別可能とし、前後の違いを示す識別情報７１としては、例えば、図７（ｆ）に示すように、折り返された状態のウイング４に対応するウイングの平面視形状４’が、折り返された状態のウイング４に対応する位置に、折り返された状態のウイング４を平面視した形状と同形同大に形成されている。それに加えて、図７（ｆ）に示すように、折り返された状態の後方フラップ５に対応する後方フラップの平面視形状５’が、折り返された状態の後方フラップ５に対応する位置に、折り返された状態の後方フラップ５を平面視した形状と同形同大に形成されている。
また、図７（ｆ）に示す剥離紙７は、矩形状のものではなく、折り返された状態のウイング４に対応するウイングの平面視形状４’に沿わせた形状部分７１を有している。詳述すると、該形状部分７１は、図７（ｆ）に示すように、ウイングの平面視形状４’の前方側の側辺４２’に対応するように、該側辺４２’に沿わせた形状に形成されているため、個装状態でもより前後の区別がつきやすい。
【００４９】
本考案の吸収性物品は、上述の第１実施形態の使い捨てナプキン１Ａ及び第２実施形態の生理用ナプキン１Ｂに何ら制限されるものではなく、適宜変更可能である。また、上述の第１実施形態の使い捨てナプキン１Ａ、第２実施形態の生理用ナプキン１Ｂにおける各構成要件は、本考案の趣旨を損なわない範囲で、適宜組み合わせて実施できる。
【００５０】
例えば、上述の実施形態の生理用ナプキン１Ａにおいては、長手方向Ｘに略３等分する位置の前方寄りの折部Ｌ１及び後方寄りの折部Ｌ２で、包装材８と共に折り曲げられて、三つ折りに折り畳まれるが、三つ折り以上に折り畳まれていてもよい。
【００５１】
また、上述の実施形態の生理用ナプキン１Ｂにおいては、一対のウイング４及び一対の後方フラップ５，５を有しているが、一対の後方フラップ５，５のみ有していてもよい。
【００５２】
本考案の吸収性物品は、生理用ナプキン以外にも、例えば、失禁者用パッド、パンティーライナー等に好適に用いることができる。
【符号の説明】
【００５３】
１Ａ，１Ｂ  生理用ナプキン（吸収性物品）
２  吸収性本体
２Ｓ  側部
２１  表面シート
２２  裏面シート
２３  吸収体
２３１  上部吸収体
２３１’  上部吸収体（中高領域）に対応する中高領域の平面視形状
２３２  下部吸収体
２４  圧搾溝
２４１  中央圧搾溝
２４２  前方圧搾溝
２４３  後方圧搾溝
２４’  圧搾溝に対応する圧搾溝の平面視形状
２４１’  中央圧搾溝に対応する中央圧搾溝の平面視形状
２４２’  前方圧搾溝に対応する前方圧搾溝の平面視形状
２４３’  後方圧搾溝に対応する後方圧搾溝の平面視形状
３  立体ギャザー
３１  サイドシート
３１ｆ  自由端部
３２  弾性部材
３３  接合部
４  ウイング
４１  下着固定用の粘着部
４’  折り返された状態のウイングに対応するウイングの平面視形状
４２’  後方フラップの前方側の側辺に対応する辺
５  後方フラップ
５１  粘着部
５’  折り返された状態の後方フラップに対応する後方フラップの平面視形状
６  周縁シール部
７  剥離紙
７１  識別情報
８  包装材
８１  タブテープ
Ｌ１  前方寄りの折部
Ｌ２  後方寄りの折部
Ａ  排泄部領域，Ｂ  前方領域，Ｃ  後方領域
【図１】
0003194465.tif 000003
【図２】
0003194465.tif 000004
【図３】
0003194465.tif 000005
【図４】
0003194465.tif 000006
【図５】
0003194465.tif 000007
【図６】
0003194465.tif 000008
【図７】
0003194465.tif 000009